(57)【特許請求の範囲】
【請求項１】
対象オブジェクトを視覚的に暗号化する暗号化部と、
前記暗号化された対象オブジェクト内の復号化ジェスチャーに対応する領域を所定の時間の間、復号化する復号化部とを有し、
前記対象オブジェクトに対する暗号化ジェスチャーの速度に応じて前記対象オブジェクトが暗号化される程度が調整されるか、又は、前記復号化ジェスチャーの速度に応じて前記復号化ジェスチャーに対応する前記領域の大きさ及び前記所定の時間のうち少なくとも１つが調整されることを特徴とするセキュリティ装置。
【請求項２】
前記暗号化部は、前記暗号化ジェスチャーに基づいて前記対象オブジェクトを視覚的に暗号化することを特徴とする請求項１に記載のセキュリティ装置。
【請求項３】
前記暗号化部は、前記暗号化ジェスチャーに対応する領域を視覚的に暗号化することを特徴とする請求項２に記載のセキュリティ装置。
【請求項４】
前記暗号化部は、前記対象オブジェクト内の少なくとも１つの領域に対するタッチジェスチャー、スライドジェスチャー、又は２つのタッチジェスチャーを用いて前記対象オブジェクト内の少なくとも１つの領域の範囲を設定するドラッグジェスチャーの内の少なくとも１つを前記暗号化ジェスチャーとして認識することを特徴とする請求項２に記載のセキュリティ装置。
【請求項５】
前記暗号化部は、ディスプレイ上の所定の領域に対するタッチジェスチャーと同時に入力される前記タッチジェスチャー、前記スライドジェスチャー、又は前記ドラッグジェスチャーを前記暗号化ジェスチャーとして認識することを特徴とする請求項４に記載のセキュリティ装置。
【請求項６】
前記暗号化部は、前記対象オブジェクトにノイズオブジェクトを混合して前記対象オブジェクトを視覚的に暗号化することを特徴とする請求項１に記載のセキュリティ装置。
【請求項７】
前記暗号化部は、前記対象オブジェクトに対する暗号化ジェスチャーの速度に基づいて前記対象オブジェクトと前記ノイズオブジェクトを混合する比率を調整することを特徴とする請求項６に記載のセキュリティ装置。
【請求項８】
前記暗号化部は、前記暗号化された対象オブジェクトで前記対象オブジェクトの存在が認識されるように前記対象オブジェクトと前記ノイズオブジェクトを混合することを特徴とする請求項６に記載のセキュリティ装置。
【請求項９】
前記暗号化部は、前記対象オブジェクト内の前記暗号化を行う領域、前記対象オブジェクトに混合されるノイズオブジェクトの比率、又は前記対象オブジェクトと前記ノイズオブジェクトの混合比率の内の少なくとも１つが入力されることを特徴とする請求項１に記載のセキュリティ装置。
【請求項１０】
前記暗号化部は、前記対象オブジェクトを視覚的に暗号化するために、前記対象オブジェクトにノイズオブジェクトを重ね合わせる（ｏｖｅｒｌａｙ）ことを特徴とする請求項１に記載のセキュリティ装置。
【請求項１１】
前記暗号化部は、前記対象オブジェクトを複数のグループに分割し、前記対象オブジェクトを視覚的に暗号化するために前記複数のグループを代わる代わる表示することを特徴とする請求項１に記載のセキュリティ装置。
【請求項１２】
前記暗号化部は、前記所定の時間が経過したことに応答し、前記復号化ジェスチャーに対応する領域を再び視覚的に暗号化することを特徴とする請求項１に記載のセキュリティ装置。
【請求項１３】
前記復号化部は、前記復号化ジェスチャーに対応する領域の範囲又は前記所定の時間の内の少なくとも１つが入力されることを特徴とする請求項１に記載のセキュリティ装置。
【請求項１４】
前記復号化部は、前記復号化ジェスチャーに対応する領域を前記暗号化された対象オブジェクトの全体領域に設定することを特徴とする請求項１に記載のセキュリティ装置。
【請求項１５】
前記復号化部は、前記暗号化された対象オブジェクト内の少なくとも１つの領域に対するタッチジェスチャー、スライドジェスチャー、２つのタッチジェスチャーを用いて前記暗号化された対象オブジェクト内の少なくとも１つの領域の範囲を設定するドラッグジェスチャー、又は前記暗号化された対象オブジェクト内の少なくとも１つの領域を凝視する凝視ジェスチャーの内の少なくとも１つを前記復号化ジェスチャーとして認識することを特徴とする請求項１に記載のセキュリティ装置。
【請求項１６】
前記復号化部は、ディスプレイ上の所定の領域に対するタッチジェスチャーと同時に入力される前記タッチジェスチャー、前記スライドジェスチャー、前記ドラッグジェスチャー、又は前記凝視ジェスチャーを前記復号化ジェスチャーとして認識することを特徴とする請求項１５に記載のセキュリティ装置。
【請求項１７】
前記対象オブジェクトは、ディスプレイに表示されるイメージ（画像）、テキスト、動画像の内の少なくとも１つを含むことを特徴とする請求項１に記載のセキュリティ装置。
【請求項１８】
前記暗号化部は、前記暗号化された対象オブジェクトを他のデバイスに送信し、
前記復号化部は、前記暗号化された対象オブジェクトを他のデバイスから受信することを特徴とする請求項１に記載のセキュリティ装置。
【請求項１９】
対象オブジェクトの全体又は一部を視覚的に暗号化する暗号化部と、
通信インタフェースを用いて前記暗号化された対象オブジェクトを他のデバイスに送信する送信部とを有し、
前記暗号化された対象オブジェクトは、ユーザから入力された復号化ジェスチャーに対応して所定の時間の間、復号化され、
前記対象オブジェクトに対する暗号化ジェスチャーの速度に応じて前記対象オブジェクトが暗号化される程度が調整されるか、又は、前記復号化ジェスチャーの速度に応じて前記復号化ジェスチャーに対応する領域の大きさ及び前記所定の時間のうち少なくとも１つが調整されることを特徴とする端末装置。
【請求項２０】
暗号化された対象オブジェクトを通信インタフェースを用いて他のデバイスから受信する受信部と、
前記暗号化された対象オブジェクト内のユーザから入力された復号化ジェスチャーに対応する領域を所定の時間の間、復号化する復号化部とを有し、
前記対象オブジェクトに対する暗号化ジェスチャーの速度に応じて前記対象オブジェクトが暗号化される程度が調整されるか、又は、前記復号化ジェスチャーの速度に応じて前記復号化ジェスチャーに対応する前記領域の大きさ及び前記所定の時間のうち少なくとも１つが調整されることを特徴とする端末装置。
【発明の詳細な説明】
【技術分野】
【０００１】
本発明は、セキュリティ装置及びそれを含む端末装置に関し、特に、端末のセキュリティ性を高めることのできるセキュリティ装置及びそれを含む端末装置に関する。
【背景技術】
【０００２】
ＩＴ技術の発展に伴って、スマートフォン、タブレットＰＣなどの端末の使用が増加している。
また、最近は、端末のディスプレイの大きさが大きくなる傾向がある。
【０００３】
このような端末を業務に活用したり業務を直接行う場合、重要情報が外部に流出する可能性が存在する。
例えば、ディスプレイの大きさが増大することで、端末に表示される情報が周辺の人々に簡単に認識されることがあるため、端末のユーザのプライバシーの侵害が発生するという問題がある。
そのため、近年、端末のセキュリティ性を高めるための研究が続いている。
【発明の概要】
【発明が解決しようとする課題】
【０００４】
本発明は上記従来の端末のディスプレイのセキュリティにおける問題点に鑑みてなされたものであって、本発明の目的は、端末装置に表示される情報が周辺の人々に簡単に認識されないセキュリティ装置及びそれを含む端末装置を提供することにある。
【課題を解決するための手段】
【０００５】
上記目的を達成するためになされた本発明によるセキュリティ装置は、対象オブジェクトを視覚的に暗号化する暗号化部と、前記暗号化された対象オブジェクト内の復号化ジェスチャーに対応する領域を所定の時間の間、復号化する復号化部とを有することを特徴とする。
【０００６】
前記暗号化部は、前記対象オブジェクトに対して暗号化ジェスチャーに基づいて前記対象オブジェクトを視覚的に暗号化することが好ましい。
前記暗号化部は、前記対象オブジェクト内の前記暗号化ジェスチャーに対応する領域を視覚的に暗号化することが好ましい。
前記暗号化部は、前記対象オブジェクト内の少なくとも１つの領域に対するタッチジェスチャー、スライドジェスチャー、又は２つのタッチジェスチャーを用いて前記対象オブジェクト内の少なくとも１つの領域の範囲を設定するドラッグジェスチャーの内の少なくとも１つを前記暗号化ジェスチャーとして認識することが好ましい。
前記暗号化部は、ディスプレイ上の所定の領域に対するタッチジェスチャーと同時に入力される前記タッチジェスチャー、前記スライドジェスチャー、又は前記ドラッグジェスチャーを前記暗号化ジェスチャーとして認識することが好ましい。
前記暗号化部は、前記対象オブジェクトにノイズオブジェクトを混合して前記対象オブジェクトを視覚的に暗号化することが好ましい。
前記暗号化部は、前記対象オブジェクトに対する暗号化ジェスチャーの速度に基づいて前記対象オブジェクトと前記ノイズオブジェクトを混合する比率を調整することが好ましい。
前記暗号化部は、前記暗号化された対象オブジェクトで前記対象オブジェクトの存在が認識されるように前記対象オブジェクトと前記ノイズオブジェクトを混合することが好ましい。
前記暗号化部は、前記対象オブジェクト内の前記暗号化を行う領域、前記対象オブジェクトに混合されるノイズオブジェクトの比率、又は前記対象オブジェクトと前記ノイズオブジェクトの混合比率の内の少なくとも１つが入力されることが好ましい。
【０００７】
前記暗号化部は、前記対象オブジェクトを視覚的に暗号化するために、前記対象オブジェクトにノイズオブジェクトを重ね合わせる（ｏｖｅｒｌａｙ）ことが好ましい。
前記暗号化部は、前記対象オブジェクトを複数のグループに分割し、前記対象オブジェクトを視覚的に暗号化するために前記複数のグループを代わる代わる表示することが好ましい。
前記暗号化部は、前記所定の時間が経過したことに応答し、前記復号化ジェスチャーに対応する領域を再び視覚的に暗号化することが好ましい。
前記復号化部は、前記復号化ジェスチャーに対応する領域の範囲又は前記所定の時間の内の少なくとも１つが入力されることが好ましい。
前記復号化部は、前記復号化ジェスチャーに対応する領域を前記暗号化された対象オブジェクトの全体領域に設定することが好ましい。
前記復号化部は、前記暗号化された対象オブジェクト内の少なくとも１つの領域に対するタッチジェスチャー、スライドジェスチャー、２つのタッチジェスチャーを用いて前記暗号化された対象オブジェクト内の少なくとも１つの領域の範囲を設定するドラッグジェスチャー、又は前記暗号化された対象オブジェクト内の少なくとも１つの領域を凝視する凝視ジェスチャーの内の少なくとも１つを前記復号化ジェスチャーとして認識することが好ましい。
前記復号化部は、ディスプレイ上の所定の領域に対するタッチジェスチャーと同時に入力される前記タッチジェスチャー、前記スライドジェスチャー、前記ドラッグジェスチャー、又は前記凝視ジェスチャーを前記復号化ジェスチャーとして認識することが好ましい。
前記対象オブジェクトは、ディスプレイに表示されるイメージ（画像）、テキスト、動画像の内の少なくとも１つを含むことが好ましい。
前記暗号化部は、前記暗号化された対象オブジェクトを他のデバイスに送信し、前記復号化部は、前記暗号化された対象オブジェクトを他のデバイスから受信することが好ましい。
【０００８】
上記目的を達成するためになされた本発明による端末装置は、対象オブジェクトの全体又は一部を視覚的に暗号化する暗号化部と、通信インタフェースを用いて前記暗号化された対象オブジェクトを他のデバイスに送信する送信部とを有し、前記暗号化された対象オブジェクトは、ユーザから入力された復号化ジェスチャーに対応して所定の時間の間、復号化されることを特徴とする。
【０００９】
また、上記目的を達成するためになされた本発明による端末装置は、暗号化された対象オブジェクトを通信インタフェースを用いて他のデバイスから受信する受信部と、前記暗号化された対象オブジェクト内のユーザから入力された復号化ジェスチャーに対応する領域を所定の時間の間、復号化する復号化部とを有することを特徴とする。
【発明の効果】
【００１０】
本発明に係るセキュリティ装置及びそれを含む端末装置によれば、暗号化部が対象オブジェクトの少なくとも一部に対してユーザから入力された暗号化ジェスチャーに基づいて、対象オブジェクトの全体又は一部を視覚的に暗号化し、復号化部は、復号化によりユーザがすでに認知した部分については再び暗号化することで、セキュリティ性を高めることができ、また、暗号化された対象オブジェクトのうちユーザの所望する部分のみを復号化してセキュリティ性を高めることができる、という効果がある。
【図面の簡単な説明】
【００１１】
【図１】本発明の一実施形態に係るセキュリティ装置を示すブロック図である。
【図２】本発明の一実施形態に係る暗号化の実施形態を説明するための図である。
【図３】本発明の一実施形態に係る暗号化の実施形態を説明するための図である。
【図４】本発明の一実施形態に係る暗号化の実施形態を説明するための図である。
【図５】本発明の一実施形態に係る暗号化設定を説明するための図である。
【図６】本発明の一実施形態に係る暗号化領域の設定を説明するための図である。
【図７】本発明の一実施形態に係る暗号化レベルの設定を説明するための図である。
【図８】本発明の一実施形態に係る暗号化レベルの設定を説明するための図である。
【図９】本発明の一実施形態に係る復号化の実施形態を説明するための図である。
【図１０】本発明の一実施形態に係る復号化の実施形態を説明するための図である。
【図１１】本発明の一実施形態に係る復号化の実施形態を説明するための図である。
【図１２】本発明の一実施形態に係る復号化領域の設定を説明するための図である。
【図１３】本発明の一実施形態に係る暗号化された対象オブジェクトの送受信を説明するための図である。
【図１４】本発明の一実施形態に係る暗号化された対象オブジェクトの送受信を説明するための図である。
【図１５】本発明の一実施形態に係る端末装置を示すブロック図である。
【図１６】本発明の他の実施形態に係る端末装置を示すブロック図である。
【図１７】本発明の一実施形態に係るセキュリティ方法を説明するためのフローチャートである。
【図１８】本発明の一実施形態に係る端末装置の制御方法を説明するためのフローチャートである。
【図１９】本発明の他の実施形態に係る端末装置の制御方法を説明するためのフローチャートである。
【発明を実施するための形態】
【００１２】
次に、本発明に係るセキュリティ装置及びそれを含む端末装置を実施するための形態の具体例を図面を参照しながら説明する。
以下で説明する実施形態は様々な変更が加えられてもよい。
以下で説明する実施形態は実施形態に対して限定しようとするものではなく、これに対する全ての変更、均等物ないし代替物を含むものとして理解しなければならない。
【００１３】
実施形態で用いる用語は、単に特定の実施形態を説明するために用いられたものとして、実施形態を限定しようとする意図は有しない。
単数の表現は文脈の上、明白に相違して意味しない限り複数の表現を含む。
本明細書で、「含む」又は「有する」などの用語は明細書上に記載された特徴、数字、ステップ、動作、構成要素、部品又はこれを組み合わせたものが存在することを指定しようとするものであって、１つ又はそれ以上の他の特徴や数字、ステップ、動作、構成要素、部品又はこれを組み合わせたものなどの存在又は付加の可能性を予め排除しないものとして理解しなければならない。
【００１４】
相違して定義されない限り、技術的であるか科学的な用語を含み、ここで用いられる全ての用語は、実施形態が属する技術分野で通常の知識を有する者によって一般的に理解されるものと同じ意味を有する。
一般的に用いられる予め定義されているような用語は、関連技術の文脈の上に有する意味と一致する意味を有するものと解釈するべきであって、本出願で明白に定義しない限り、理想的であるか過度に形式的な意味として解釈されることはない。
【００１５】
また、添付図面を参照して説明することにおいて、図面の符号に関係なく同一の構成要素は同一の符号を付与し、それに対する重複説明は省略することにする。
実施形態の説明において関連の公知技術に対する具体的な説明が実施形態の要旨を不要に曖昧にすると判断される場合、その詳細な説明を省略する。
【００１６】
図１は、本発明の一実施形態に係るセキュリティ装置を示すブロック図である。
図１を参照すると、セキュリティ装置１００は、暗号化部１１０及び復号化部１２０を含む。
暗号化部１１０は、対象オブジェクトの全体又は一部を視覚的に暗号化する。
【００１７】
本発明の一実施形態では、対象オブジェクトとノイズオブジェクトを混合して対象オブジェクトの全体又は一部を視覚的に暗号化することが好ましい。
ここで、オブジェクトは、セキュリティ装置１００を含む端末装置のディスプレイに表示される全てのデータを示すもので、例えば、オブジェクトは、イメージ（静止画像等）、テキスト又は動画像のうち少なくとも１つを示す。
対象オブジェクトは、暗号化部１１０が暗号化する対象のオブジェクトを意味し、ノイズオブジェクトは、対象オブジェクトの暗号化のために対象オブジェクトと混合されるオブジェクトを示す。
ノイズオブジェクトは、対象オブジェクトと同一のオブジェクトであってもよく、対象オブジェクトと異なるオブジェクトであってもよい。ノイズオブジェクトはユーザが選択されてもよく、予め設定されていてもよい。
【００１８】
暗号化部１１０は、対象オブジェクトの少なくとも一部に対してユーザから入力された暗号化ジェスチャーに基づいて、対象オブジェクトの全体又は一部を視覚的に暗号化する。
ここで、暗号化ジェスチャーは、対象オブジェクト内の少なくとも１つの領域に対するタッチジェスチャー、対象オブジェクトの少なくとも１つの領域をスライドするスライドジェスチャー、２つのタッチジェスチャーを用いて対象オブジェクト内の少なくとも１つの領域の範囲を設定するドラッグジェスチャーを含み得る。
例えば、暗号化部１１０は、ユーザが指で対象オブジェクトの特定領域をタッチするジェスチャーをタッチジェスチャーとして認識し、ユーザが指で対象オブジェクトの特定領域をタッチしたまま移動するジェスチャーをスライドジェスチャーとして認識し、ユーザが２つの指で対象オブジェクト上の特定領域をタッチした状態で２つの指を移動させるジェスチャーをドラッグジェスチャーとして認識する。
【００１９】
また、暗号化ジェスチャーは、ディスプレイ上の所定の領域に対するタッチジェスチャーと同時に入力されるタッチジェスチャー、スライドジェスチャー、又はドラッグジェスチャーを含んでもよい。
例えば、暗号化部１１０は、ユーザが指でディスプレイ上の特定領域をタッチした状態で他の指を用いて対象オブジェクト上の少なくとも１つの領域に行うタッチジェスチャー、スライドジェスチャー、ドラッグジェスチャーを暗号化ジェスチャーとして認識してもよい。
【００２０】
本発明の一実施形態に係る暗号化部１１０は、暗号化ジェスチャーに対応する領域に基づいて対象オブジェクト内の暗号化を行う領域を決定する。
例えば、暗号化部１１０は、ディスプレイ上で対象オブジェクト内のユーザの指が接する部分のみを暗号化する領域として決定してもよく、ユーザの指が接する部分から所定の範囲までを暗号化する領域として決定してもよい。
また、暗号化部１１０は、暗号化ジェスチャーが入力される対象オブジェクトの全体領域を暗号化してもよい。
【００２１】
本発明の一実施形態に係る暗号化部１１０は、暗号化ジェスチャーの速度に基づいて対象オブジェクトとノイズオブジェクトを混合する比率を調整する。
例えば、暗号化部１１０が速い速度のスライドジェスチャーを認識した場合、暗号化部１１０は、スライドジェスチャーに対応する対象オブジェクトの領域に対するノイズオブジェクトの混合比率を高く設定してもよい。
また、暗号化部１１０が遅い速度のスライドジェスチャーを認識した場合、暗号化部１１０は、スライドジェスチャーに対応する対象オブジェクトの領域に対するノイズオブジェクトの混合比率を低く設定してもよい。
【００２２】
また、本発明の一実施形態に係る暗号化部１１０は、対象オブジェクト内の暗号化を行う領域、ノイズオブジェクト又は対象オブジェクトとノイズオブジェクトを混合する比率を所定のインタフェースを介してユーザから入力されてもよい。
例えば、暗号化部１１０は、インタフェースを介してユーザから命令が入力され、セキュリティ装置１００の動作モードを暗号化モードに設定される。
【００２３】
一例として、暗号化モードで、暗号化部１１０は、対象オブジェクトの全体領域を暗号化する領域に設定するか、又は暗号化ジェスチャーに対応する領域のみを暗号化する領域に設定するかを、インタフェースを介してユーザから入力されてもよい。
また、暗号化部１１０は、暗号化ジェスチャーに対応する領域を対象オブジェクト内のユーザの指が接する部分のみを設定するか、又はユーザの指が接する部分から所定の範囲まで設定するかをインタフェースを介してユーザから入力されてもよい。
【００２４】
また、本発明の一実施形態に係る暗号化部１１０は、インタフェースを介してユーザから命令が入力され、セキュリティ装置１００のモードを一般モードに設定される。
一般モードにおいて、ユーザからタッチジェスチャー、スライドジェスチャー、ドラッグジェスチャーなどが入力されても、暗号化部１１０はこれを暗号化ジェスチャーとして認識しない。
【００２５】
本発明の一実施形態に係る暗号化部１１０は、対象オブジェクトの全体又は一部にノイズオブジェクトを重ね合わせ（ｏｖｅｒｌａｙ）て、対象オブジェクトの全体又は一部を視覚的に暗号化してもよい。
また、暗号化部１１０は、対象オブジェクトの全体又は一部を複数のグループに分割し、複数のグループに含まれたオブジェクトを代わる代わる表示して対象オブジェクトを暗号化してもよい。
また、暗号化部１１０は、暗号化された対象オブジェクトで対象オブジェクトの存在が認識されるよう、対象オブジェクトとノイズオブジェクトを混合してもよい。
【００２６】
復号化部１２０は、暗号化された対象オブジェクト内のユーザから入力された復号化ジェスチャーに対応する領域を所定の時間の間、復号化する。
そのため、暗号化部は所定の時間が経過した後、復号化ジェスチャーに対応する領域を再び視覚的に暗号化してもよい。
ここで、所定の時間は、所定のインタフェースを介してユーザから入力されてもよく、予め設定されてもよい。
【００２７】
例えば、所定の時間が３０秒に設定される場合、暗号化された対象オブジェクトにユーザが復号化ジェスチャーを入力すると、復号化部１２０は暗号化された対象オブジェクト内の復号化ジェスチャーに対応する領域を復号化ジェスチャーがユーザから入力された時点から３０秒の間、復号化する。
ジェスチャーがユーザから入力された時点から３０秒経過した後、暗号化部１１０は、再び復号化ジェスチャーに対応する領域を視覚的に暗号化する。
そのため、復号化部１２０は、復号化によりユーザがすでに認知した部分については再び暗号化することで、セキュリティ性を高めることができる。
【００２８】
復号化部１２０は、暗号化された対象オブジェクト内の少なくとも１つの領域に対するタッチジェスチャー、暗号化された対象オブジェクトの少なくとも１つの領域をスライドするスライドジェスチャー、２つのタッチジェスチャーを用いて暗号化された対象オブジェクトのうち少なくとも１つの領域の範囲を設定するドラッグジェスチャー、又は暗号化された対象オブジェクト内の少なくとも１つの領域を凝視する凝視ジェスチャーの内の少なくとも１つを含んでもよい。
【００２９】
例えば、ユーザが暗号化された対象オブジェクトの特定領域を凝視する場合、復号化部１２０は、端末装置のカメラを用いて対象オブジェクトのうちユーザが凝視する領域を認識してもよい。
復号化部１２０は、ユーザの凝視を復号化ジェスチャーとして認識し、ユーザが凝視する領域を復号化ジェスチャーに対応する領域として認識してもよい。
そのため、復号化部１２０は、暗号化された対象オブジェクトのうちユーザの所望する部分のみを復号化してセキュリティ性を高めることができる。
【００３０】
また、復号化部１２０は、ディスプレイ上の所定の領域に対するタッチジェスチャーと同時に入力されるタッチジェスチャー、スライドジェスチャー、ドラッグジェスチャー、又は凝視ジェスチャーを復号化ジェスチャーとして認識してもよい。
例えば、復号化部１２０は、ユーザが指でディスプレイ上の特定領域をタッチした状態で、他の指で暗号化された対象オブジェクト上の少なくとも１つの領域に行うタッチジェスチャー、スライドジェスチャー、ドラッグジェスチャー、又は、凝視ジェスチャーを復号化ジェスチャーとして認識してもよい。
【００３１】
また、復号化部１２０は、復号化ジェスチャーに対応する領域の範囲又は復号化する時間を所定のインタフェースを介してユーザから入力されてもよい。
例えば、復号化部１２０は、復号化ジェスチャーに対応する領域の範囲を設定できるインタフェースをユーザに提供し、インタフェースに入力されたものに応じて復号化ジェスチャーに対応する領域の範囲を設定してもよい。
【００３２】
本発明の一実施形態に係る復号化部１２０は、復号化ジェスチャーに基づいて復号化ジェスチャーに対応する領域の範囲又は復号化を行う時間を設定し得る。
例えば、復号化部１２０が速い速度のスライドジェスチャーを認識した場合、遅い速度のスライドジェスチャーを認識した場合よりも、復号化部１２０は復号化ジェスチャーに対応する領域の範囲を２倍広く設定し、復号化する時間を２倍に設定してもよい。
【００３３】
本発明の一実施形態に係る復号化部１２０は、復号化ジェスチャーに対応する領域に基づいて対象オブジェクトのうち暗号化を行う領域を決定する。
例えば、復号化部１２０は、ディスプレイ上で対象オブジェクト内のユーザの指が接する部分のみを復号化する領域として決定してもよく、ユーザの指が接する部分から所定の範囲までを復号化する領域として決定してもよい。
例えば、ディスプレイに複数の列として表示されるオブジェクトが暗号化されて表示される場合、ディスプレイの左側の終わり部分又は右側の終わり部分にユーザの指が接するとき、復号化部１２０は、ユーザの指が接した部分に対応する列全体を復号化してもよい。
【００３４】
一例として、ユーザが指をディスプレイの左側の終わり部分又は右側の終わり部分にタッチした後、下方におろす場合、復号化部１２０はユーザが指を下方に下ろした部分に対応する列全体を復号化し、暗号化部１１０は、ユーザの指が落下した部分に対応する列全体を再び暗号化してもよい。
ここで、復号化部１２０は、ユーザの指が下ろされる部分に対応する列だけ、ディスプレイに表示されるオブジェクトを上方に上げることができる。
また、ユーザが指をディスプレイの左側の終わり部分又は右側の終わり部分にタッチした後、上方に上げる場合、復号化部１２０は、ユーザが指を上方に上げた部分に対応する列全体を復号化し、暗号化部１１０は、ユーザの指が落下した部分に対応する列全体を再び暗号化してもよい。
ここで、復号化部１２０は、ユーザの指が上げた部分に対応する列だけ、ディスプレイに表示されるオブジェクトを下方に下ろすことができる。
【００３５】
また、復号化部１２０は、復号化ジェスチャーに対応する領域を暗号化された対象オブジェクトの全体領域に設定し、暗号化された対象オブジェクトの全体領域を復号化してもよい。
例えば、対象オブジェクトを３回タッチするジェスチャーが対象オブジェクトの全体領域を復号化するジェスチャーと予め設定された場合、復号化部１２０は、対象オブジェクトを３回タッチするジェスチャーをユーザから取得すると、対象オブジェクトの全体領域を復号化することができる。
【００３６】
また、暗号化部１１０は、通信インタフェースを用いて暗号化された対象オブジェクトを外部に送信してもよい。
また、復号化部１２０は、通信インタフェースを用いて暗号化された対象オブジェクトを外部から受信してもよい。
図１〜図１９に対する説明において、通信インタフェースは、ＷＬＡＮ（Ｗｉｒｅｌｅｓｓ  ＬＡＮ）、ＷｉＦｉ（Ｗｉｒｅｌｅｓｓ  Ｆｉｄｅｌｉｔｙ）Ｄｉｒｅｃｔ、ＤＬＮＡ（登録商標）（Ｄｉｇｉｔａｌ  Ｌｉｖｉｎｇ  Ｎｅｔｗｏｒｋ  Ａｌｌｉａｎｃｅ）、Ｗｉｂｒｏ（Ｗｉｒｅｌｅｓｓ  ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）などの無線インターネットインタフェースとＢｌｕｅｔｏｏｔｈ（登録商標）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ；ＩｒＤＡ）、ＵＷＢ（Ｕｌｔｒａ  Ｗｉｄｅｂａｎｄ）、ＺｉｇＢｅｅ（登録商標）、ＮＦＣ（Ｎｅａｒ  Ｆｉｅｌｄ  Ｃｏｍｍｕｎｉｃａｔｉｏｎ）などの近距離通信インタフェースを含んでもよい。それだけではなく、通信インタフェースは、外部と通信できる全てのインタフェース（例えば、有線インタフェース）を示す。
【００３７】
図２〜４は、本発明の一実施形態に係る暗号化の実施形態を説明するための図である。
図２を参照すると、セキュリティ装置は、オーバーレイ方式を用いて対象オブジェクト２１１を暗号化する。
本発明の一実施形態では、ユーザから暗号化ジェスチャーの入力を受けて暗号化ジェスチャーに対応する領域に基づいて暗号化を行う。
例えば、セキュリティ装置は、ユーザから対象オブジェクト２１１の開始領域及び終了領域に対するタッチジェスチャーを認識して対象オブジェクト２１１を暗号化する。
【００３８】
セキュリティ装置は、ノイズオブジェクトを対象オブジェクト２１１と同じオブジェクトに予め設定してもよく、インタフェースを介してユーザからノイズオブジェクトを対象オブジェクト２１１と同じオブジェクトとして入力されてもよい。
また、セキュリティ装置は、暗号化方式のうちオーバーレイ方式で対象オブジェクト２１１を暗号化するか否かを予め設定してもよく、インタフェースを介してユーザから複数の暗号化方式のうちオーバーレイ方式が選択されてもよい。
【００３９】
セキュリティ装置は、対象オブジェクト２１１にノイズオブジェクトをオーバーレイして（重ね合わせて）暗号化された対象オブジェクト２２１を生成する。
ここで、セキュリティ装置は、暗号化された対象オブジェクト２２１が、対象オブジェクト２１１の存在が認識されるように対象オブジェクト２１１にノイズオブジェクトをオーバーレイしてもよい。
【００４０】
図３を参照すると、セキュリティ装置は、分割方式を用いて対象オブジェクト３１１を暗号化する。
図３に示す例として、対象オブジェクト３１１はテキストであり、ノイズオブジェクト３１２は灰色のイメージである。
ここで、セキュリティ装置は、ノイズオブジェクト３１２を灰色のイメージに予め設定してもよく、インタフェースを介してユーザからノイズオブジェクトを灰色のイメージとして入力されてもよい。
また、セキュリティ装置は、暗号化方式のうち分割方式で対象オブジェクト３１１を暗号化するか否かを予め設定してもよく、インタフェースを介してユーザから分割方式が選択されてもよい。
【００４１】
セキュリティ装置は、対象オブジェクト３１１とノイズオブジェクト３１２を混合し、対象オブジェクト３１１とノイズオブジェクト３１２が混合されたオブジェクトを２つのグループに分割する。
例えば、セキュリティ装置は、対象オブジェクト３１１のテキストに基づいて奇数番目のテキストは第１グループ、偶数番目のテキストは第２グループに分割してもよい。
セキュリティ装置は、２つのグループに含まれたオブジェクト３２１、３３１を代わる代わるディスプレイに表示する。
ここで、２つのグループに含まれたオブジェクト３２１、３３１をディスプレイに表示する時間は予め設定されてもよく、ユーザから設定されてもよい。
【００４２】
図４を参照すると、符号４１０の実施形態で、セキュリティ装置は、オーバーレイ方式を用いて対象オブジェクト４１１をオーバーレイする。
セキュリティ装置は、暗いイメージをノイズオブジェクトとして設定し、対象オブジェクト４１１にノイズオブジェクトを重ね合わせて暗号化された対象オブジェクト４１２を生成する。
【００４３】
符号４２０の実施形態で、対象オブジェクト４２１はテキストとイメージを全て含んでおり、セキュリティ装置は、対象オブジェクト４２１のうちテキストを暗号化する。
符号４２０の実施形態のように、セキュリティ装置は、対象オブジェクト４２１のテキスト「Ｄｏｇ」から「ｏｇ」を削除し、暗号化された対象オブジェクト４２２を生成する。
また、セキュリティ装置は、対象オブジェクト４２１のテキスト「Ｄｏｇ」のテキスト属性（例えば、字体、大きさ、太さなど）も修正してもよい。
【００４４】
符号４３０の実施形態で、セキュリティ装置は、複数の方式を用いて対象オブジェクトを暗号化する。
ここで、複数の方式は予め設定されてもよく、インタフェースを介してユーザから入力されてもよい。
符号４３０の実施形態で、セキュリティ装置は、オーバーレイ方式を用いて第１暗号化を行った後、第１暗号化が実行された対象オブジェクトに削除方式を用いて第２暗号化を行ってもよい。
【００４５】
第１暗号化で、セキュリティ装置は、対象オブジェクト４３１のうちテキスト「Ｄｏｇ」のテキスト属性を変更し、対象オブジェクト４３１にノイズオブジェクト「Ｄ  ｇ」を重ね合わせて暗号化された対象オブジェクト４３２を生成する。
また、第２暗号化で、セキュリティ装置は、暗号化された対象オブジェクト４３２からテキスト「Ｄｏｇ」の「ｏｇ」を削除し、重ね合わされたノイズオブジェクト「Ｄ  ｇ」を削除して暗号化された対象オブジェクト４３３を生成する。
本発明の一実施形態に係るセキュリティ装置は、暗号化された対象オブジェクト４３２及び暗号化された対象オブジェクト４３３を代わる代わるディスプレイに表示してもよい。
【００４６】
図５は、本発明の一実施形態に係る暗号化設定を説明するための図である。
図５を参照すると、セキュリティ装置の動作モードは暗号化モードと設定されているとする。
ここで、暗号化モードは、セキュリティ装置が対象オブジェクトの暗号化する動作モードを示し、一般モードは暗号化ジェスチャーが入力されても、対象オブジェクトの暗号化を行わない動作モードを示す。
【００４７】
本発明の一実施形態に係るセキュリティ装置は、ユーザから入力された暗号化ジェスチャーに基づいて、動作モードを暗号化モードに設定してもよい。
例えば、ユーザは、オブジェクト５１０の各領域（５１１〜５１５）を順にタッチ（又は、スライド）すると、セキュリティ装置は、ユーザから入力されたタッチジェスチャー（又は、スライドジェスチャー）を、動作モードを暗号化モードに設定する暗号化ジェスチャーとして認識する。
セキュリティ装置は、認識された暗号化ジェスチャーに応答して動作モードを暗号化モードに設定する。
【００４８】
本発明の他の実施形態に係るセキュリティ装置は、インタフェース５２０を介してユーザから命令が入力され、セキュリティ装置の動作モードを暗号化モードに設定する。
例えば、セキュリティ装置は、インタフェース５２０をユーザに提供し、インタフェース５２０は、動作モードを暗号化モードに設定するインタフェース５２１を含み得る。
ユーザがインタフェース５２１を選択する場合、セキュリティ装置は、動作モードを暗号化モードに設定する。また、ユーザがインタフェース５２１の選択を解除する場合、セキュリティ装置は動作モードを一般モードに設定する。
【００４９】
図６は、本発明の一実施形態に係る暗号化領域の設定を説明するための図である。
図６を参照すると、セキュリティ装置は、対象オブジェクトのうち暗号化する領域の暗号化領域を設定する。
【００５０】
本発明の一実施形態に係るセキュリティ装置は、暗号化ジェスチャーに対応する領域に基づいて暗号化領域を決定する。
ここで、暗号化ジェスチャーは、対象オブジェクト内の少なくとも１つの領域に対するタッチジェスチャー、対象オブジェクトの少なくとも１つの領域をスライドするスライドジェスチャー、２つのタッチジェスチャーを用いて対象オブジェクトのうち少なくとも１つの領域の範囲を設定するドラッグジェスチャーを含んでもよい。
また、暗号化ジェスチャーは、ディスプレイ上の所定の領域に対するタッチジェスチャーと同時に入力されるタッチジェスチャー、スライドジェスチャー、又はドラッグジェスチャーを含んでもよい。
セキュリティ装置は、タッチジェスチャー、スライドジェスチャー、又はドラッグジェスチャーに対応する領域を暗号化領域に設定する。
【００５１】
例えば、セキュリティ装置は、ユーザから対象オブジェクト内の符号６１２の領域の範囲を設定するドラッグジェスチャー６１１が入力されてもよい。
この場合、セキュリティ装置は、ドラッグジェスチャー６１１によって設定された符号６１２の領域を暗号化領域として決定する。
【００５２】
異なる例として、セキュリティ装置は、ディスプレイ上の符号６２２の特定領域に対するタッチジェスチャー６２１とスライドジェスチャー６２３が同時に入力されてもよい。
この場合、セキュリティ装置は、スライドジェスチャー６２３によって設定された符号６２４の領域を暗号化領域として決定する。
【００５３】
図７及び図８は、本発明の一実施形態に係る暗号化レベルの設定を説明するための図である。
図７を参照すると、対象オブジェクト７１０は、イメージ７１１、及びテキスト７１２を含む。
セキュリティ装置は、対象オブジェクト７１０に対する暗号化ジェスチャーの速度を用いて、対象オブジェクト７１０とノイズオブジェクトの混合比率を調整する。
【００５４】
本発明の一実施形態に係るセキュリティ装置は、対象オブジェクト７１０のうち、イメージ７１１に対してユーザからスライドジェスチャー７１３が入力される。
入力されたスライドジェスチャーに対応して、セキュリティ装置はイメージ７１１をノイズイメージと混合する。
ここで、セキュリティ装置は、スライドジェスチャー７１３の速度に基づいてイメージ７１１とノイズイメージを混合する比率を調整する。
例えば、スライドジェスチャー７１３の速度が１０ｃｍ／ｓである場合、セキュリティ装置は暗号化された対象オブジェクト７２１のように、ノイズイメージの混合比率を比較的に低く設定し得る。
また、スライドジェスチャー７１３の速度が２０ｃｍ／ｓである場合、セキュリティ装置は、暗号化された対象オブジェクト７３１のように、ノイズイメージの混合比率を比較的高く設定し得る。
また、セキュリティ装置は、スライドジェスチャー７１３の速度が低い場合のノイズイメージの混合比率を、スライドジェスチャー７１３の速度が高い場合のノイズイメージの混合比率よりも高く設定してもよい。
【００５５】
図８を参照すると、対象オブジェクト８１０は、イメージ８１１及びテキスト８１２を含む。
セキュリティ装置は、インタフェース８２１を介してユーザから対象オブジェクト８１０とノイズオブジェクトを混合する比率が入力される。
【００５６】
本発明の一実施形態に係るセキュリティ装置は、対象オブジェクト８１０内のテキスト８１２に対してユーザからスライドジェスチャー８１３が入力される。
入力されたスライドジェスチャーに対応して、セキュリティ装置はテキスト８１２にノイズテキストを混合する。
ここで、セキュリティ装置は、ユーザにインタフェース８２１を提供し得る。
セキュリティ装置は、インタフェース８２１を介してユーザからテキスト８１２とノイズテキストの混合比率が入力され、ユーザからの入力された混合比率に応じて、テキスト８１２とノイズテキストを混合する。
例えば、インタフェース８２１を介してユーザから高いレベルの混合比率が入力される場合、セキュリティ装置は、テキスト８１２にノイズテキストを高いレベルに混合して暗号化された対象オブジェクト８３１を生成する。
【００５７】
図９〜１１は、本発明の一実施形態に係る復号化の実施形態を説明するための図である。
図９を参照すると、セキュリティ装置は、暗号化された対象オブジェクト内の、ユーザから入力された復号化ジェスチャーに対応する領域を所定の時間の間、復号化する。
これによって、暗号化部は所定の時間が経過した後、復号化ジェスチャーに対応する領域を再び視覚的に暗号化することができる。
【００５８】
例えば、セキュリティ装置は、暗号化された対象テキスト９１１の符号９１３の領域から符号９２３の領域までスライドするスライドジェスチャー９１２、９２２をユーザから入力される。
そのため、セキュリティ装置は、符号９１３の領域に対応する対象テキスト９１１の「ｌａｙｅｒ  ｉｓ」から符号９２３の領域に対応する対象テキスト９２１の「ｅｎｃｒｙｐ」までを復号化する。
ここで、セキュリティ装置は、ユーザが符号９１３の領域にタッチした瞬間に対象テキスト９１１の「ｌａｙｅｒ  ｉｓ」を復号化してもよく、ユーザのタッチが符号９１３の領域から離れた時、対象テキスト９１１の「ｌａｙｅｒ  ｉｓ」を再び暗号化してもよい。
本発明の一実施形態では、復号化を保持する時間は予め設定されてもよく、ユーザから入力されてもよい。
【００５９】
図１０を参照すると、セキュリティ装置は、復号化ジェスチャーに応答して暗号化された対象オブジェクト１０１０の全体領域を復号化する。
例えば、暗号化された対象オブジェクト１０１０は、対象オブジェクト１０１１とノイズオブジェクト１０１２が混合したものである。
セキュリティ装置は、ユーザから符号１０２１〜１０２４の領域に対するタッチジェスチャーが順次入力される。
入力されたタッチジェスチャーに応答して、セキュリティ装置は符号１０３０の図のように、暗号化された対象オブジェクト１０１０に含まれたノイズオブジェクト１０１２を除去する。
ここで、符号１０２１〜１０２４の領域に対するタッチジェスチャーは、予め暗号化された対象オブジェクト１０１０の全体領域を復号化するように設定されてもよく、ユーザにより暗号化された対象オブジェクト１０１０の全体領域を復号化するものとして設定されてもよい。
【００６０】
図１１を参照すると、セキュリティ装置は、ユーザの視線を認識して対象オブジェクトを復号化する。
例えば、セキュリティ装置は、端末装置のカメラを用いて暗号化された対象テキスト１１１０のうち、ユーザが凝視する符号１１１１の領域を認識するとする。
セキュリティ装置は、暗号化された対象テキスト１１１０のうち、ユーザが凝視する符号１１１１の領域のみを復号化する。
ここで、ユーザが視線方向を変更する場合、セキュリティ装置はユーザが新しく凝視する領域に対して復号化し、符号１１１１の領域に対して再び暗号化してもよい。
【００６１】
図１２は、本発明の一実施形態に係る復号化領域の設定を説明するための図である。
図１２を参照すると、セキュリティ装置は、暗号化された対象オブジェクト内の復号化を行う領域である復号化領域を設定する。
【００６２】
本発明の一実施形態に係るセキュリティ装置は、復号化ジェスチャーに対応する領域に基づいて復号化領域を決定する。
ここで、復号化ジェスチャーは、暗号化された対象オブジェクト内の少なくとも１つの領域に対するタッチジェスチャー、暗号化された対象オブジェクト内の少なくとも１つの領域をスライドするスライドジェスチャー、２つのタッチジェスチャーを用いて暗号化された対象オブジェクト内の少なくとも１つの領域の範囲を設定するドラッグジェスチャー、又は暗号化された対象オブジェクト内の少なくとも１つの領域を凝視する凝視ジェスチャーを含み得る。
また、復号化ジェスチャーは、所定の領域に対するタッチジェスチャーと同時に入力されるタッチジェスチャー、スライドジェスチャー、ドラッグジェスチャー、又は凝視ジェスチャーを含んでもよい。
【００６３】
例えば、セキュリティ装置は、ディスプレイ上の符号１２１２の特定領域に対するタッチジェスチャー１２１１とスライドジェスチャー１２１３が同時に入力されたとする。
この場合、セキュリティ装置は、スライドジェスチャー１２１３によって設定された符号１２１４の領域を復号化領域として決定する。
ここで、ユーザは、スライドジェスチャー１２２１によって符号１２２２の領域のように位置を調整し、そのため、セキュリティ装置は調整された符号１２２２の領域を復号化領域として決定する。
【００６４】
異なる例として、セキュリティ装置は、ユーザから符号１２３２の領域の範囲を設定するドラッグジェスチャー１２３１が入力されてもよい。
この場合、セキュリティ装置は、ドラッグジェスチャー１２３１によって設定された符号１２３２の領域を復号化領域として決定する。
またさらに、ユーザは、ドラッグジェスチャー１２４１によって符号１２４２の領域のように範囲を調整し、そのため、セキュリティ装置は、新しく設定された符号１２４２の領域を復号化領域として決定してもよい。
【００６５】
図１３及び図１４は、本発明の一実施形態に係る暗号化された対象オブジェクトの送受信を説明するための図である。
図１３を参照すると、対象オブジェクト１３１０は、イメージ１３１１、テキスト１３１２及びバーコード１３１３を含む。
端末装置は、ディスプレイに対象オブジェクト１３１０を表示する。
【００６６】
ここで、端末装置は、ユーザからバーコード１３１１に対するスライドジェスチャーが入力される。
そのため、端末装置は、バーコード１３１１にノイズオブジェクトを混合してバーコード１３１１を暗号化（符号１３２１）することによる対象オブジェクトの暗号化を行う。
端末装置は、暗号化された対象オブジェクトを外部端末に送信するためのインタフェース１３３１をユーザに提供する。
そして、端末装置は、インタフェース１３３１を介して暗号化された対象オブジェクトを送信する外部端末に関する情報がユーザから入力される。
端末装置は、通信インタフェースを用いて暗号化された対象オブジェクトをユーザから入力された外部端末に送信する。
【００６７】
図１４を参照すると、端末装置は、通信インタフェースを用いて外部端末から暗号化された対象オブジェクト１４１０を受信する。
暗号化された対象オブジェクト１４１０は、イメージ１４１１、テキスト１４１２、及び暗号化されたバーコード１４１３を含む。
端末装置は、ユーザから暗号化されたバーコード１４１３に対するスライドジェスチャーが入力される。
それにより、端末装置は、所定の時間の間、暗号化されたバーコード１４１３をバーコード１４２１のように復号化する。
所定の時間が経過した後、端末装置はバーコード１４３１のように復号化されたバーコード１４２１を再び暗号化する。
本発明の一実施形態に係る端末装置が暗号化されたバーコード１４２１を復号化する時間は、端末装置によって予め設定されてもよく、ユーザによって設定されてもよく、暗号化された対象オブジェクト１４１０を送信した外部端末によって予め設定されてもよい。
【００６８】
図１５は、本発明の一実施形態に係る端末装置を示すブロック図である。
図１５を参照すると、端末装置１５００は、暗号化部１５１０及び送信部１５２０を含む。
【００６９】
暗号化部１５１０は、対象オブジェクトの全体又は一部を視覚的に暗号化する。
ここで、暗号化された対象オブジェクトは、ユーザから入力された復号化ジェスチャーに対応して所定の時間の間、復号化する。
【００７０】
また、暗号化部１５１０は、対象オブジェクトの全体又は一部にノイズオブジェクトを混合して対象オブジェクトの全体又は一部を視覚的に暗号化してもよい。
また、暗号化部１５１０は、対象オブジェクトの少なくとも一部に対してユーザから入力された暗号化ジェスチャーに基づいて対象オブジェクトの全体又は一部を視覚的に暗号化してもよい。
また、送信部１５２０は、通信インタフェースを用いて暗号化された対象オブジェクトを外部に送信する。
図１５に示す本発明の一実施形態に係る端末装置は、図１〜図１４を参照して説明した内容がそのまま適用されているため、より詳細な説明は省略する。
【００７１】
図１６は、本発明の他の一実施形態に係る端末装置を示すブロック図である。
図１６を参照すると、端末装置１６００は、受信部１６１０及び復号化部１６２０を含む。
【００７２】
受信部１６１０は、暗号化された対象オブジェクトを通信インタフェースを用いて外部から受信する。
また、復号化部１６２０は、暗号化された対象オブジェクトのうちユーザから入力された復号化ジェスチャーに対応する領域を所定の時間の間、復号化する。
図１６に示す本発明の他の実施形態に係る端末装置は、図１〜図１４を参照して説明した内容がそのまま適用されているため、より詳細な説明は省略する。
【００７３】
図１７は、本発明の一実施形態に係るセキュリティ方法を説明するためのフローチャートである。
図１７を参照すると、セキュリティ装置は、対象オブジェクトの全体又は一部を視覚的に暗号化する（ステップＳ１７１０）。
次に、セキュリティ装置は、暗号化された対象オブジェクト内のユーザから入力された復号化ジェスチャーに対応する領域を所定の時間の間、復号化する（ステップＳ１７２０）。
図１７に示す本発明の一実施形態に係るセキュリティ方法は、図１〜図１４を参照して説明した内容がそのまま適用されているため、より詳細な説明は省略する。
【００７４】
図１８は、本発明の一実施形態に係る端末装置の制御方法を説明するためのフローチャートである。
図１８を参照すると、端末装置は、対象オブジェクトの全体又は一部を視覚的に暗号化する（ステップＳ１８１０）。
ここで、暗号化された対象オブジェクトは、ユーザから入力された復号化ジェスチャーに対応して所定の時間の間、復号化されてもよい。
次に、端末装置は、通信インタフェースを用いて暗号化された対象オブジェクトを外部に送信する（ステップＳ１８２０）。
図１８に示す本発明の一実施形態に係る端末装置の制御方法は、図１〜図１４を参照して説明した内容がそのまま適用されているため、より詳細な説明は省略する。
【００７５】
図１９は、本発明の他の実施形態に係る端末装置の制御方法を説明するためのフローチャートである。
図１９を参照すると、端末装置は、暗号化された対象オブジェクトを通信インタフェースを用いて外部から受信する（ステップＳ１９１０）。
次に、端末装置は、暗号化された対象オブジェクト内のユーザから入力された復号化ジェスチャーに対応する領域を所定の時間の間、復号化する（ステップＳ１９２０）。
図１９に示す本発明の他の実施形態に係る端末装置の制御方法は、図１〜図１４を参照して説明した内容がそのまま適用されているため、より詳細な説明は省略する。
【００７６】
以上で説明された装置は、ハードウェア構成要素、ソフトウェア構成要素、及び／又はハードウェア構成要素及びソフトウェア構成要素の組み合わせで実現し得る。
例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサー、または、命令（ｉｎｓｔｒｕｃｔｉｏｎ）を実行して応答できる異なる装置のように、１つ以上の汎用コンピュータ又は特殊目的のコンピュータを用いて実現されてもよい。
【００７７】
処理装置は、オペレーティングシステム（ＯＳ）及びオペレーティングシステム上で行われる１つ以上のソフトウェアアプリケーションを行ってもよい。
また、処理装置は、ソフトウェアの実行に応答してデータをアクセス、格納、操作、処理及び生成してもよい。
理解の便宜のために、処理装置は１つ使用されるものと説明される場合もあるが、当該の技術分野で通常の知識を有する者は、処理装置が複数の処理要素（ｐｒｏｃｅｓｓｉｎｇ  ｅｌｅｍｅｎｔ）及び／又は複数類型の処理要素を含んでいることが分かる。
例えば、処理装置は、複数のプロセッサ、又は１つのプロセッサ及び１つのコントローラを含んでもよい。また、並列プロセッサ（ｐａｒａｌｌｅｌ  ｐｒｏｃｅｓｓｏｒ）のような、他の処理構成も可能である。
【００７８】
ソフトウェアは、コンピュータプログラム、コード、命令、又はこのうちの１つ以上の組み合わせを含んでもよく、所望通りに動作するよう処理装置を構成したり独立的又は結合的に処理装置を命令してもよい。
ソフトウェア及び／又はデータは、処理装置によって解釈されたり、処理装置に命令又はデータを提供するためどのような類型の機械、構成要素、物理的装置、仮想装置、コンピュータ記憶媒体又は装置、送信される信号波に永久的又は一時的に具体化できる。
ソフトウェアは、ネットワークに接続されたコンピュータシステム上に分散し、分散された方法で格納されたり実行されてもよい。
ソフトウェア及びデータは１つ以上のコンピュータで読み出し可能な記録媒体に格納されてもよい。
【００７９】
本発明の実施形態に係る方法は、多様なコンピュータ手段を介して様々な処理を実行することができるプログラム命令の形態で実現され、コンピュータで読取可能な記録媒体に記録されてもよい。
コンピュータ読取可能な記録媒体は、プログラム命令、データファイル、データ構造などのうち１つ又はその組み合わせを含み得る。記録媒体に記録されるプログラム命令は、本発明の目的のために特別に設計されて構成されたものでもよく、コンピュータソフトウェア分野の技術を有する当業者にとって公知のものであり、使用可能なものであってもよい。
コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。
プログラム命令の例には、コンパイラによって作られるような機械語コードだけでなく、インタープリタなどを用いてコンピュータによって実行できる高級言語コードが含まれる。前記したハードウェア装置は、本発明の動作を行うために１つ以上のソフトウェアモジュールとして動作するように構成されてもよく、その逆も同様である。
【００８０】
尚、本発明は、上述の実施形態に限られるものではない。本発明の技術的範囲から逸脱しない範囲内で多様に変更実施することが可能である。
【符号の説明】
【００８１】
１００    セキュリティ装置
１１０、１５１０    暗号化部
１２０、１６２０    復号化部
２１１、２２１、３１１、４１１、４２１、４３１    対象オブジェクト
５２０、５２１    インタフェース
１５００、１６００    端末装置
１５２０    送信部
１６１０    受信部
【図１】
0006590583.tif 000002
【図２】
0006590583.tif 000003
【図３】
0006590583.tif 000004
【図４】
0006590583.tif 000005
【図５】
0006590583.tif 000006
【図６】
0006590583.tif 000007
【図７】
0006590583.tif 000008
【図８】
0006590583.tif 000009
【図９】
0006590583.tif 000010
【図１０】
0006590583.tif 000011
【図１１】
0006590583.tif 000012
【図１２】
0006590583.tif 000013
【図１３】
0006590583.tif 000014
【図１４】
0006590583.tif 000015
【図１５】
0006590583.tif 000016
【図１６】
0006590583.tif 000017
【図１７】
0006590583.tif 000018
【図１８】
0006590583.tif 000019
【図１９】
0006590583.tif 000020